(57)【要約】【課題】  崩れにくい構成を有する包装用仕切材を提供する。【解決手段】包装用仕切材は、包装容器を複数個の区画に仕切るための包装用仕切材であって、展開されている展開状態では、１枚の平板に間隔を有して平行に配置される複数の折線によって区切られる複数の仕切板を備え、前記複数の仕切板によって、少なくとも２個の四角筒形状が画定されており、前記２個の四角筒形状のそれぞれにおいて、１個の角部を画定する前記展開状態で互いに隣接していない一対の第１仕切板のそれぞれに対して、前記角部から当該第１仕切板の反対向きに当該第１仕切板に平行に延びる第２仕切板が配置されており、前記第１仕切板と前記第２仕切板のうちの一方の仕切板は、前記一方の仕切板から他方の仕切板に向かって延びており、前記他方の仕切板に接着される第１接着片を備えていてもよい。【選択図】  図１
2019099229.tif 000002
【特許請求の範囲】
【請求項１】
包装容器を複数個の区画に仕切るための包装用仕切材であって、
展開されている展開状態では、１枚の平板に間隔を有して平行に配置される複数の折線によって区切られる複数の仕切板を備え、
前記複数の仕切板によって、少なくとも２個の四角筒形状が画定されており、
前記２個の四角筒形状のそれぞれにおいて、１個の角部を画定する前記展開状態で互いに隣接していない一対の第１仕切板のそれぞれに対して、前記角部から当該第１仕切板の反対向きに当該第１仕切板に平行に延びる第２仕切板が配置されており、
前記第１仕切板と前記第２仕切板のうちの一方の仕切板は、前記一方の仕切板から他方の仕切板に向かって延びており、前記他方の仕切板に接着される第１接着片を備える、包装用仕切材。
【請求項２】
前記第１接着片は、前記一枚の平板のうち、前記展開状態で前記一方の仕切板に隣接する第３仕切板と前記一方の仕切板との間の前記折線よりも前記第３仕切板側の部分によって形成されている、請求項１に記載の包装用仕切材。
【請求項３】
前記第１仕切板と前記第２仕切板のうちの前記他方の仕切板は、前記他方の仕切板から前記一方の仕切板に向かって延びており、前記一方の仕切板に接着される第２接着片を備える、請求項１又は２に記載の包装用仕切材。
【請求項４】
前記第１接着片と前記第２接着片とは、前記第１仕切材と前記第２仕切材との前記折線方向において、同一の位置に配置されている、請求項３に記載の包装用仕切材。
【請求項５】
前記複数の仕切板は、１０枚の仕切板を含み、
前記１０枚の仕切板は、３個の四角筒形状を画定しており、
前記展開状態において、前記１０枚の仕切板のうち、一方の端から３枚目の仕切板は、前記１０枚の仕切板のうちの他の仕切板の２倍の幅を有しており、
前記３枚目の仕切板の幅方向の中央には、前記１０枚の仕切板の他方の端が接続されている、請求項１から４のいずれか一項に記載の包装用仕切材。
【請求項６】
前記複数の仕切板は、１１枚の仕切板を含み、
前記１１枚の仕切板は、３個の四角筒形状を画定しており、
前記展開状態において、前記１１枚の仕切板のうち、一方の端から４枚目の仕切板は、前記１１枚の仕切板のうちの他の仕切板の２倍の幅を有しており、
前記一方の端から２枚目の仕切板は、１枚目の仕切板に対して直角に配置され、
前記一方の端から３枚目の仕切板は、前記２枚目の仕切板に対して直角に配置され、前記１枚目の仕切板と平行に配置されており、
前記４枚目の仕切板は、前記３枚目の仕切板に対して直角に配置され、前記２枚目の仕切板と間隔を有して平行に配置しており、
前記一方の端から５枚目の仕切板は、前記４枚目の仕切板に対して直角に配置され、前記３枚目の仕切板と間隔を有して平行に配置されており、
前記一方の端から６枚目の仕切板は、前記５枚目の仕切板に対して前記１枚目の仕切板から離間する側に直角に配置され、前記４枚目の仕切板と平行に配置されており、
前記一方の端から７枚目の仕切板は、前記６枚目の仕切板に対して直角に配置され、前記１枚目の仕切板と間隔を有して平行に配置されており、
前記一方の端から８枚目の仕切板は、前記７枚目の仕切板に対して直角に配置され、前記６枚目の仕切板と間隔を有して平行に配置されており、
前記一方の端から９枚目の仕切板は、前記８枚目の仕切板に対して直角に配置され、前記１枚目の仕切板と前記７枚目の仕切板との間の中央位置で、前記１枚目の仕切板と前記７枚目の仕切板に平行に配置されており、
前記一方の端から１０枚目の仕切板は、前記９枚目の仕切板に対して直角に配置され、前記４枚目の仕切板と間隔を有して平行に配置されており、前記１枚目の仕切板と前記２枚目の仕切板との間に連結しており、
前記一方の端から１１枚目の仕切板は、前記１０枚目の仕切板に対して直角に配置され、前記５枚目の仕切板と前記３枚目の仕切板との間の中央位置で、前記４枚目の仕切板との間に連結している、請求項１から４のいずれか一項に記載の包装用仕切材。
【発明の詳細な説明】
【技術分野】
【０００１】
本明細書は、包装容器に用いられる包装用仕切材に関する技術を開示する。
【背景技術】
【０００２】
特許文献１に、等間隔で配置される１０本の折線が形成されている一枚の厚紙を、折線に沿って折り曲げることによって作製される仕切材が開示されている。仕切材は、１１枚の折曲片を備える。仕切材では、１１枚の折曲片によって、２個の四角筒形状が画定されている。四角筒形状の４個の角部は、互いに隣接していない折曲片によって画定される特定の角部を含む。特定の角部を画定している一対の折曲片のうち、一方の折曲片には舌片が配置されており、他方の折曲片の折線には舌片が挿入される開口部が配置されている。
【先行技術文献】
【特許文献】
【０００３】
【特許文献１】実開昭５３−９０５７０号公報
【発明の概要】
【発明が解決しようとする課題】
【０００４】
上記の構成では、折線を折り曲げて、舌片を開口部に挿入することによって、四角筒形状を形成している。この構成では、舌片が開口部から抜けると、四角筒形状が維持できず、仕切材が崩れてしまう。
【０００５】
本明細書では、崩れにくい構成を有する包装用仕切材を提供する。
【課題を解決するための手段】
【０００６】
本明細書で開示される技術は、包装用仕切材に関する。包装用仕切材は、包装容器を複数個の区画に仕切るための包装用仕切材であって、展開されている展開状態では、１枚の平板に間隔を有して平行に配置される複数の折線によって区切られる複数の仕切板を備え、前記複数の仕切板によって、少なくとも２個の四角筒形状が画定されており、前記２個の四角筒形状のそれぞれにおいて、１個の角部を画定する前記展開状態で互いに隣接していない一対の第１仕切板のそれぞれに対して、前記角部から当該第１仕切板の反対向きに当該第１仕切板に平行に延びる第２仕切板が配置されており、前記第１仕切板と前記第２仕切板のうちの一方の仕切板は、前記一方の仕切板から他方の仕切板に向かって延びており、前記他方の仕切板に接着される第１接着片を備えていてもよい。
【０００７】
１個の角部を画定する一対の第１仕切板は、自身から角部を越えて配置されている第２仕切板に接着されている。この構成によれば、接着片が他方の仕切板から外れることを抑制することができる。これにより、角筒形状が維持できず、仕切材が崩れてしまう事態を回避することができる。
【０００８】
前記第１接着片は、前記一枚の平板のうち、前記展開状態で前記一方の仕切板に隣接する第３仕切板と前記一方の仕切板との間の前記折線よりも前記第３仕切板側の部分によって形成されていてもよい。この構成によれば、接着片を、一枚の平板以外に別途準備せずに、一枚の平板から作製することができる。
【０００９】
前記第１仕切板と前記第２仕切板のうちの前記他方の仕切板は、前記他方の仕切板から前記一方の仕切板に向かって延びており、前記一方の仕切板に接着される第２接着片を備えていてもよい。この構成によれば、接着片が外れることをより強固に抑制することができる。
【００１０】
前記第１接着片と前記第２接着片とは、前記第１仕切材と前記第２仕切材との前記折線方向において、同一の位置に配置されていてもよい。
【００１１】
前記複数の仕切板は、１０枚の仕切板を含み、前記１０枚の仕切板は、３個の四角筒形状を画定しており、前記展開状態において、前記１０枚の仕切板のうち、一方の端から３枚目の仕切板は、前記１０枚の仕切板のうちの他の仕切板の２倍の幅を有しており、前記３枚目の仕切板の幅方向の中央には、前記１０枚の仕切板の他方の端が接続されていてもよい。
【００１２】
前記複数の仕切板は、１１枚の仕切板を含み、前記１１枚の仕切板は、３個の四角筒形状を画定しており、前記展開状態において、前記１１枚の仕切板のうち、一方の端から４枚目の仕切板は、前記１１枚の仕切板のうちの他の仕切板の２倍の幅を有しており、前記一方の端から２枚目の仕切板は、１枚目の仕切板に対して直角に配置され、前記一方の端から３枚目の仕切板は、前記２枚目の仕切板に対して直角に配置され、前記１枚目の仕切板と平行に配置されており、前記４枚目の仕切板は、前記３枚目の仕切板に対して直角に配置され、前記２枚目の仕切板と間隔を有して平行に配置しており、前記一方の端から５枚目の仕切板は、前記４枚目の仕切板に対して直角に配置され、前記３枚目の仕切板と間隔を有して平行に配置されており、前記一方の端から６枚目の仕切板は、前記５枚目の仕切板に対して前記１枚目の仕切板から離間する側に直角に配置され、前記４枚目の仕切板と平行に配置されており、前記一方の端から７枚目の仕切板は、前記６枚目の仕切板に対して直角に配置され、前記１枚目の仕切板と間隔を有して平行に配置されており、前記一方の端から８枚目の仕切板は、前記７枚目の仕切板に対して直角に配置され、前記６枚目の仕切板と間隔を有して平行に配置されており、前記一方の端から９枚目の仕切板は、前記８枚目の仕切板に対して直角に配置され、前記１枚目の仕切板と前記７枚目の仕切板との間の中央位置で、前記１枚目の仕切板と前記７枚目の仕切板に平行に配置されており、前記一方の端から１０枚目の仕切板は、前記９枚目の仕切板に対して直角に配置され、前記４枚目の仕切板と間隔を有して平行に配置されており、前記１枚目の仕切板と前記２枚目の仕切板との間に連結しており、前記一方の端から１１枚目の仕切板は、前記１０枚目の仕切板に対して直角に配置され、前記５枚目の仕切板と前記３枚目の仕切板との間の中央位置で、前記４枚目の仕切板との間に連結していてもよい。
【図面の簡単な説明】
【００１３】
【図１】第１実施例の包装用仕切材の斜視図を示す。
【図２】第１実施例の包装用仕切材の正面図を示す。
【図３】第１実施例の包装用仕切材の背面図を示す。
【図４】第１実施例の包装用仕切材の平面図を示す。
【図５】第１実施例の包装用仕切材の底面図を示す。
【図６】第１実施例の包装用仕切材の右側面図を示す。
【図７】第１実施例の包装用仕切材の左側面図を示す。
【図８】第１実施例の包装用仕切材の展開図を示す。
【図９】第１実施例の包装用仕切材の折り畳まれている状態を表す図を示す。
【図１０】第１実施例の包装用仕切材の折り畳まれている状態から使用状態に変形する途中の斜視図を示す。
【図１１】第１実施例の包装用仕切材の折り畳まれている状態から使用状態に変形する途中の斜視図を示す。
【図１２】第２実施例の包装用仕切材の斜視図を示す。
【図１３】第２実施例の包装用仕切材の正面図を示す。
【図１４】第２実施例の包装用仕切材の背面図を示す。
【図１５】第２実施例の包装用仕切材の平面図を示す。
【図１６】第２実施例の包装用仕切材の底面図を示す。
【図１７】第２実施例の包装用仕切材の右側面図を示す。
【図１８】第２実施例の包装用仕切材の左側面図を示す。
【図１９】第２実施例の包装用仕切材の展開図を示す。
【図２０】第２実施例の包装用仕切材の折り畳まれている状態を表す図を示す。
【図２１】第２実施例の包装用仕切材の折り畳まれている状態から使用状態に変形する途中の斜視図を示す。
【図２２】第３実施例の包装用仕切材の斜視図を示す。
【図２３】第３実施例の包装用仕切材の正面図を示す。
【図２４】第３実施例の包装用仕切材の背面図を示す。
【図２５】第３実施例の包装用仕切材の平面図を示す。
【図２６】第３実施例の包装用仕切材の底面図を示す。
【図２７】第３実施例の包装用仕切材の右側面図を示す。
【図２８】第３実施例の包装用仕切材の左側面図を示す。
【図２９】第３実施例の包装用仕切材の展開図を示す。
【図３０】第３実施例の２個の包装用仕切材が組み合わせられている状態で折り畳まれている状態を表す図を示す。
【図３１】第３実施例の２個の包装用仕切材が組み合わせられている状態で折り畳まれている状態から使用状態に変形する途中の斜視図を示す。
【図３２】第３実施例において２個の包装用仕切材が組み合わせられている状態を表す斜視図を示す。
【実施例】
【００１４】
（第１実施例）
図１〜図１１を参照して、本実施例の包装用仕切材１００を説明する。包装用仕切材１００は、例えば、直方体形状の包装容器に収容され、包装容器内の空間を複数の空間に仕切る。
【００１５】
図８に示すように、包装用仕切材１００は、１枚の平板１０を折り曲げることによって作製される。平板１０が、包装用仕切材１００の展開状態である。１枚の平板１０には、８本の折線１２ａ、１２ｂ、１２ｃ、１２ｄ、１２ｅ、１２ｆ、１２ｇ、１２ｈ（以下ではまとめて「折線１２」と呼ぶことがある）が配置されている。折線１２は、１枚の平板１０の長手方向において等間隔に配置されている。折線１２は、互いに平行に配置されている。
【００１６】
平板１０は、８本の折線１２によって、９枚の仕切板２０ａ、２０ｂ、２０ｃ、２０ｄ、２０ｅ、２０ｆ、２０ｇ、２０ｈ、２０ｉ（以下ではまとめて「仕切板２０」と呼ぶことがある）。仕切板２０は、互いに略同一の幅（即ち平板１０の長手方向に沿った長さ）を有する。
【００１７】
図８において、左端から１枚目の仕切板２０ａは、上下方向の両端のそれぞれに略Ｖ字形状の切欠きを有する。また、仕切板２０ａは、その左端に湾曲した切欠きを有する。仕切板２０ａは、折線１２ａを挟んで、仕切板２０ｂに連結されている。仕切板２０ａには、折線１２ａを越えて、仕切板２０ｂ側に突出する接着片２２ａを備える。
【００１８】
接着片２２ａは、折線１２ａから仕切板２０ｂに向かって、平板１０を略台形形状に切込むことによって、形成されている。接着片２２ａは、上下方向の中央位置よりも上方に位置する。
【００１９】
仕切板２０ｂは、図８の左右方向（以下、単に「左右方向」と呼ぶ）において仕切板２０ａと反対側で折線１２ｂを挟んで仕切板２０ｃに連結されている。左右方向における仕切板２０ｂの中央位置よりも仕切板２０ａ側に位置する部分は、上下方向において、仕切板２０ａよりも短い。折線１２ａ付近では、仕切板２０ａの上下方向の両端部が、仕切板２０ｂよりも上下方向に突出している。
【００２０】
左右方向における仕切板２０ｂの中央位置よりも仕切板２０ｃ側に位置する部分では、上下方向において、仕切板２０ｂの端辺が傾斜部２６で傾斜しており、仕切板２０ｃ側の端部では、仕切板２０ｂは、仕切板２０ｃと同一の長さを有する。
【００２１】
仕切板２０ｂは、折線１２ａを越えて、仕切板２０ａ側に突出する接着片２２ｂを備える。接着片２２ｂは、折線１２ａから仕切板２０ａに向かって、平板１０を略台形形状に切込むことによって、形成されている。接着片２２ｂは、上下方向の中央位置よりも下方に位置する。接着片２２ｂは、接着片２２ａと同一形状を有する。
【００２２】
仕切板２０ｃは、左右方向において仕切板２０ｂと反対側で折線１２ｃを挟んで仕切板２０ｄに連結されている。仕切板２０ｃは、上下方向の両端のそれぞれに略Ｖ字形状の切欠きを有する。仕切板２０ｃには、接着片は設けられていない。
【００２３】
仕切板２０ｄは、左右方向において仕切板２０ｃと反対側で折線１２ｄを挟んで仕切板２０ｅに連結されている。仕切板２０ａは、上下方向の両端のそれぞれに略Ｖ字形状の切欠きを有する。仕切板２０ｄは、折線１２ｄを越えて、仕切板２０ｅ側に突出する接着片２２ｄを備える。接着片２２ｄは、接着片２２ａと同一の形状を有する。接着片２２ｄは、折線１２ｄから仕切板２０ｅに向かって、平板１０を略台形形状に切込むことによって、形成されている。接着片２２ｄは、上下方向の中央位置よりも上方に位置する。
【００２４】
仕切板２０ｅは、左右方向において仕切板２０ｄと反対側で折線１２ｅを挟んで仕切板２０ｆに連結されている。仕切板２０ｅは、上下方向において、両側に位置する仕切板２０ｄ、２０ｆよりも短く、仕切板２０ｂの短い部分と同一の長さを有する仕切板２０ｅは、折線１２ｄを越えて、仕切板２０ｄ側に突出する接着片２２ｅ１を備える。接着片２２ｅ１は、接着片２２ｂと同一の形状を有する。接着片２２ｅ１は、折線１２ｄから仕切板２０ｄに向かって、平板１０を略台形形状に切込むことによって、形成されている。接着片２２ｅ１は、Ｚ方向の中央位置よりも下方に位置する。仕切板２０ｅは、折線１２ｅを越えて、仕切板２０ｆ側に突出する接着片２２ｅ２を備える。接着片２２ｅ２は、接着片２２ａと同一の形状を有する。接着片２２ｅ２は、折線１２ｅから仕切板２０ｆに向かって、平板１０を略台形形状に切込むことによって、形成されている。接着片２２ｅ２は、Ｚ方向の中央位置よりも上方に位置する。
【００２５】
仕切板２０ｆは、左右方向において仕切板２０ｅと反対側で折線１２ｆを挟んで仕切板２０ｇに連結されている。仕切板２０ｆは、仕切板２０ｄに対して、点Ｐを中心とする回転対称に配置されている。仕切板２０ｆは、折線１２ｆを越えて、仕切板２０ｅ側に突出する接着片２２ｆを備える。接着片２２ｆは、接着片２２ｅ１と同一の形状を有する。接着片２２ｆは、折線１２ｆから仕切板２０ｅに向かって略台形形状に切込むことによって、形成されている。接着片２２ｆは、上下方向の中央位置よりも上方に位置する。
【００２６】
仕切板２０ｇは、左右方向において仕切板２０ｆと反対側で折線１２ｇを挟んで仕切板２０ｈに連結されている。仕切板２０ｇ、２０ｈのそれぞれは、仕切板２０ｃ、２０ｂのそれぞれに対して、点Ｐを中心とする回転対称に配置されている。仕切板２０ｈは、左右方向において仕切板２０ｇと反対側で折線１２ｈを挟んで仕切板２０ｉに連結されている。仕切板２０ｉは、仕切板２０ｂに対して、点Ｐを中心とする回転対称に配置されている。仕切板２０ｈは、仕切板２０ｂの傾斜部２６と同様の傾斜部２８を有する。仕切板２０ｈは、折線１２ｈを越えて、仕切板２０ｉ側に突出する接着片２２ｈを備える。接着片２２ｈは、折線１２ｈから仕切板２０ｉに向かって略台形形状に切込むことによって、形成されている。仕切板２０ｉは、折線１２ｈを越えて、仕切板２０ｈ側に突出する接着片２２ｉを備える。接着片２２ｉは、折線１２ｈから仕切板２０ｈに向かって略台形形状に切込むことによって、形成されている。
【００２７】
（包装用仕切材１００の作製方法）
次いで、主に図１、図４を参照して、平板１０から包装用仕切材１００を作製する方法を説明する。包装用仕切材１００は、平板１０を８本の折線１２のそれぞれで、直角に折り曲げることによって作製される。このとき、各仕切板２０と各接着片２２との境界は、折り曲げられない。このため、折線１２で折り曲げられると、平板１０で接着片２２が位置していた箇所が開口する。包装用仕切材１００は、２個の四角筒３０、４０を備える。四角筒３０は、仕切板２０ｂ、２０ｃ、２０ｄ、２０ｅによって画定される。
【００２８】
仕切板２０ｂと仕切板２０ｅは、角部３２を画定している。言い換えると、角部３２は、展開状態（即ち平板１０）において、互いに隣接していない仕切板２０ｂと仕切板２０ｅによって画定されている。仕切板２０ｂでは、角部３２から仕切板２０ｂと反対向きに仕切板２０ｂに平行に延びる仕切板２０ｆが配置されている。仕切板２０ｂの接着片２２ｂは、全面に亘って仕切板２０ｆに接触している。接着片２２ｂは、仕切板２０ｆに接着剤によって接着されている。仕切板２０ｅでは、角部３２から仕切板２０ｅと反対向きに仕切板２０ｅに平行に延びる仕切板２０ａが配置されている。仕切板２０ｅの接着片２２ｅ２は、全面に亘って仕切板２０ａに接触している。接着片２２ｅ２は、仕切板２０ａに接着剤によって接着されている。
【００２９】
また、仕切板２０ｆでは、接着片２２ｆが、全面に亘って仕切板２０ｂに接触している。接着片２２ｆは、仕切板２０ｂに接着剤によって接着されている。接着片２２ｆの高さは、接着片２２ｂの高さと一致する。
【００３０】
さらに、仕切板２０ａでは、接着片２２ａが、全面に亘って仕切板２０ｅに接触している。接着片２２ａは、仕切板２０ｅに接着剤によって接着されている。接着片２２ａの高さは、接着片２２ｅ２の高さと一致する。
【００３１】
四角筒４０は、仕切板２０ｅ、２０ｆ、２０ｇ、２０ｈによって画定される。仕切板２０ｅは、四角筒３０と四角筒４０との境界に位置し、四角筒３０と四角筒４０の両者に共有されている。仕切板２０ｅと仕切板２０ｈは、角部４２を画定している。言い換えると、角部４２は、展開状態（即ち平板１０）において、互いに隣接していない仕切板２０ｅと仕切板２０ｈによって画定されている。仕切板２０ｅでは、角部３２から仕切板２０ｅと反対向きに仕切板２０ｅに平行に延びる仕切板２０ｉが配置されている。仕切板２０ｅの接着片２２ｅ１は、全面に亘って仕切板２０ｉに接触している。接着片２２ｅ２は、仕切板２０ｉに接着剤によって接着されている。仕切板２０ｈでは、角部４２から仕切板２０ｈと反対向きに仕切板２０ｈに平行に延びる仕切板２０ｄが配置されている。仕切板２０ｈの接着片２２ｈは、全面に亘って仕切板２０ｄに接触している。接着片２２ｈは、仕切板２０ｄに接着剤によって接着されている。
【００３２】
また、仕切板２０ｉでは、接着片２２ｉが、全面に亘って仕切板２０ｅに接触している。接着片２２ｉは、仕切板２０ｅに接着剤によって接着されている。接着片２２ｉの高さは、接着片２２ｅ１の高さと一致する。
【００３３】
さらに、仕切板２０ｄでは、接着片２２ｄが、全面に亘って仕切板２０ｈに接触している。接着片２２ｄは、仕切板２０ｈに接着剤によって接着されている。接着片２２ｄの高さは、接着片２２ｈの高さと一致する。
【００３４】
包装用仕切材１００では、図９に示す折畳状態と図１に示す使用状態とに変形可能である。折畳状態では、仕切板２０ｂ、２０ｈの上端に位置する把持部５０、５２が、仕切板２０ｂ、２０ｈの間に位置する仕切板２０ｅの上端よりも突出している。このため、使用者は、把持部５０、５２の上端を容易に把持することができる。使用者は、把持した把持部５０、５２の上端を互いに離間するように、折畳状態の包装用仕切材１００を拡げることによって、図１０、図１１に示すように、折畳状態から使用状態に変形される。この構成によれば、包装用仕切材１００を折畳状態と使用状態との容易に変形することができる。
【００３５】
また、使用状態では、四角筒３０の角部３２を画定する仕切板２０ｂと仕切板２０ｅのそれぞれが、接着片２２ｂ及び接着片２２ｅ２によって、仕切板２０ｆと仕切板２０ａとに取り付けられている。この構成によれば、接着片２２ｂ、２２ｅ２が仕切板２０ｆと仕切板２０ａのそれぞれから外れることを抑制することができる。これにより、四角筒３０の形状が維持できず、包装用仕切材１００が崩れてしまう事態を回避することができる。四角筒４０でも同様である。
【００３６】
さらに、角部３２では、仕切板２０ｆと仕切板２０ａのそれぞれから延びる接着片２２ｆ及び接着片２２ａのそれぞれが、仕切板２０ｂと仕切板２０ｅのそれぞれに接着されている。これにより、接着片２２ａ、２２ｂ、２２ｅ２、２２ｆの接着が外れることを強固に抑制することができる。四角筒４０でも同様である。
【００３７】
四角筒３０の角部３２では、角部３２から４個の接着片２２ａ、２２ｂ、２２ｅ２、２２ｆが、それぞれ異なる４つの方向に延びている。このため、角部３２の形状を維持され、包装用仕切材１００が使用状態に維持され易い。
【００３８】
接着片２２は、平板１０を切り込むことによって、作製されている。このため、接着片２２を容易に作製することができる。
【００３９】
（第２実施例）
本実施例の包装用仕切材２００について、図１２〜図２１を参照して、第１実施例の包装用仕切材１００と異なる点を説明する。図１９に示すように、包装用仕切材２００は、１枚の平板２１０を折り曲げることによって作製される。１枚の平板２１０には、９本の折線２１２ａ、２１２ｂ、２１２ｃ、２１２ｄ、２１２ｅ、２１２ｆ、２１２ｇ、２１２ｈ、２１２ｉ（以下ではまとめて「折線２１２」と呼ぶ）が配置されている。折線２１２は、１枚の平板２１０の長手方向において等間隔に配置されている。折線２１２は、互いに平行に配置されている。
【００４０】
平板２１０は、９本の折線２１２によって、１０枚の仕切板２２０ａ、２２０ｂ、２２０ｃ、２２０ｄ、２２０ｅ、２２０ｆ、２２０ｇ、２２０ｈ、２２０ｉ、２２０ｊ（以下ではまとめて「仕切板２２０」と呼ぶ）。仕切板２２０のうち、９枚の仕切板２２０ａ、２２０ｂ、２２０ｃ、２２０ｄ、２２０ｅ、２２０ｆ、２２０ｇ、２２０ｉ、２２０ｊは、互いに略同一の幅（即ち平板２１０の長手方向に沿った長さ）を有する。仕切板２２０ｈは、他の仕切板２２０ａ等の２倍の幅を有する。
【００４１】
図１９において、左端から１枚目の仕切板２２０ａは、上下方向の両端のそれぞれに略Ｖ字形状の切欠きを有する。また、仕切板２２０ａは、その左端に、端片２２４を備える。端片２２４は、仕切板２２０ａの上下方向の全長に亘って配置されている。仕切板２２０ａは、折線２１２ａを挟んで、仕切板２２０ｂに連結されている。仕切板２２０ａには、折線２１２ａを越えて、仕切板２２０ｂ側に突出する接着片２２２ａを備える。
【００４２】
接着片２２２ａは、折線２１２ａから仕切板２２０ｂに向かって略台形形状に切込むことによって、形成されている。接着片２２２ａは、Ｚ方向の中央位置よりも上方に位置する。
【００４３】
仕切板２２０ｂは、左右方向において仕切板２２０ａと反対側で折線２１２ｂを挟んで仕切板２２０ｃに連結されている。上下方向における仕切板２２０ｂの長さは、上下方向における切欠きの底部の間の仕切板２２０ａの長さに等しい。上下方向における仕切板２２０ｂの長さは、左右方向において一定である。
【００４４】
仕切板２２０ｂは、折線２１２ａを越えて、仕切板２２０ａ側に突出する接着片２２２ｂ１を備える。接着片２２２ｂ１は、折線２１２ａから仕切板２２０ａに向かって略台形形状に切込むことによって、形成されている。接着片２２２ｂ１は、上下方向の中央位置よりも下方に位置する。さらに、仕切板２２０ｂは、折線２１２ｂを越えて、仕切板２２０ｃ側に突出する接着片２２２ｂ２を備える。接着片２２２ｂ２は、折線２１２ｃから仕切板２２０ｃに向かって略台形形状に切込むことによって、形成されている。接着片２２２ｂ２は、上下方向の中央位置よりも上方に位置する。接着片２２２ｂ１、２２２ｂ２は、接着片２２２ａと同一形状を有する。
【００４５】
仕切板２２０ｃは、左右方向において仕切板２２０ｂと反対側で折線２１２ｃを挟んで仕切板２２０ｄに連結されている。仕切板２２０ｃは、上下方向の両端のそれぞれに略Ｖ字形状の切欠きを有する。仕切板２２０ｃには、折線２１２ｂを越えて、仕切板２２０ｂ側に突出する接着片２２２ｃを備える。接着片２２２ｃは、折線２１２ｂから仕切板２２０ｂに向かって略台形形状に切込むことによって、形成されている。接着片２２２ｃは、上下方向の中央位置よりも下方に位置する。接着片２２２ｃは、接着片２２２ａと同一形状を有する。
【００４６】
仕切板２２０ｄは、左右方向において仕切板２２０ｃと反対側で折線２１２ｄを挟んで仕切板２２０ｅに連結されている。仕切板２２０ｄは、上下方向の両端のそれぞれに略Ｖ字形状の切欠きを有する。
【００４７】
仕切板２２０ｅは、左右方向において仕切板２２０ｄと反対側で折線２１２ｅを挟んで仕切板２２０ｆに連結されている。仕切板２２０ｅは、左右方向における仕切板２２０ｅの仕切板２２０ｄ側の端部は、上下方向において、仕切板２２０ｄと同一の長さを有する。左右方向における仕切板２２０ｅの中間位置では、仕切板２２０ｅの端辺が傾斜部２２６で傾斜しており、左右方向における仕切板２２０ｅの中央位置よりも仕切板２２０ｆ側に位置する部分は、上下方向において仕切板２２０ｆよりも短い。折線２１２ｆ付近では、仕切板２２０ｆのＺ方向の両端部が、仕切板２２０ｅよりも上下方向に突出している。
【００４８】
仕切板２２０ｅは、折線２１２ｅを越えて、仕切板２２０ｆ側に突出する接着片２２２ｅを備える。接着片２２２ｅは、接着片２２２ａと同一の形状を有する。接着片２２２ｅは、折線２１２ｅから仕切板２２０ｆに向かって略台形形状に切込むことによって、形成されている。接着片２２２ｅは、上下方向の中央位置よりも上方に位置する。
【００４９】
仕切板２２０ｆは、左右方向において仕切板２２０ｅと反対側で折線２１２ｆを挟んで仕切板２２０ｇに連結されている。仕切板２２０ｆは、仕切板２２０ｃと同一の形状を有する。仕切板２２０ｆは、折線２１２ｅを越えて、仕切板２２０ｅ側に突出する接着片２２２ｆを備える。接着片２２２ｆは、接着片２２２ｃと同一の形状を有する。接着片２２２ｆは、折線２１２ｅから仕切板２２０ｅに向かって略台形形状に切込むことによって、形成されている。接着片２２２ｆは、上下方向の中央位置よりも下方に位置する。
【００５０】
仕切板２２０ｇは、左右方向において仕切板２２０ｆと反対側で折線２１２ｈを挟んで仕切板２２０ｈに連結されている。仕切板２２０ｇは、仕切板２２０ｅと同一の形状を有する。
【００５１】
仕切板２２０ｈは、左右方向において仕切板２２０ｇと反対側で折線２１２ｈを挟んで仕切板２２０ｇに連結されている。仕切板２２０ｈは、２枚の仕切板２２０ｃが左右方向に連続して配置されている形状と同一の形状を有する。
【００５２】
仕切板２２０ｉは、左右方向において仕切板２２０ｈと反対側で折線２１２ｉを挟んで仕切板２２０ｊに連結されている。仕切板２２０ｉは、仕切板２２０ｅに対して、上下反転した形状を有する。即ち、仕切板２２０ｉは、傾斜部２２６と同様の傾斜部２２８を備える。仕切板２２０ｉは、折線２１２ｉを越えて、仕切板２２０ｊ側に突出する接着片２２２ｉを備える。接着片２２２ｉは、折線２１２ｉから仕切板２２０ｊに向かって略台形形状に切込むことによって、形成されている。接着片２２２ｉは、上下方向の中央位置よりも下方に位置する。接着片２２２ｉは、接着片２２２ａと同一形状を有する。
【００５３】
仕切板２２０ｊは、平板２１０の右端に位置している。仕切板２２０ｊは、上下方向の両端のそれぞれに略Ｖ字形状の切欠きを有する。また、仕切板２２０ｊは、その右端に湾曲した切欠きを有する。仕切板２２０ｊは、折線２１２ｉを越えて、仕切板２２０ｉ側に突出する接着片２２２ｊを備える。接着片２２２ｊは、接着片２２２ａと同一の形状を有する。接着片２２２ｉは、折線２１２ｉから仕切板２２０ｉに向かって略台形形状に切込むことによって、形成されている。接着片２２２ｊは、Ｚ方向の中央位置よりも上方に位置する。
【００５４】
（包装用仕切材２００の作製方法）
次いで、主に図１２、図１５を参照して、平板２１０から包装用仕切材２００を作製する方法を説明する。包装用仕切材１００は、平板２１０を９本の折線２１２のそれぞれで、直角に折り曲げることによって作製される。このため、折線２１２で折り曲げられると、平板２１０で接着片２２２が位置していた箇所が開口する。包装用仕切材２００は、２個の四角筒２３０、２４０、２５０を備える。四角筒２３０は、仕切板２２０ａ、２２０ｂ、２２０ｈ、２２０ｉによって画定される。
【００５５】
仕切板２２０ｂと仕切板２２０ｉは、角部２３２を画定している。言い換えると、角部２３２は、展開状態（即ち平板２１０）において、互いに隣接していない仕切板２２０ｂと仕切板２２０ｉによって画定されている。仕切板２２０ｂでは、角部２３２から仕切板２２０ｂと反対向きに仕切板２２０ｂに平行に延びる仕切板２２０ｊが配置されている。仕切板２２０ｂの接着片２２２ｂ２は、全面に亘って仕切板２２０ｊに接触している。接着片２２２ｂ２は、仕切板２２０ｊに接着剤によって接着されている。仕切板２２０ｉでは、角部２３２から仕切板２２０ｉと反対向きに仕切板２２０ｉに平行に延びる仕切板２２０ｃが配置されている。仕切板２２０ｉの接着片２２２ｉは、全面に亘って仕切板２２０ｃに接触している。接着片２２２ｉは、仕切板２２０ｃに接着剤によって接着されている。
【００５６】
また、仕切板２２０ｊでは、接着片２２２ｊが、全面に亘って仕切板２２０ｂに接触している。接着片２２２ｊは、仕切板２２０ｂに接着剤によって接着されている。接着片２２２ｉの高さは、接着片２２２ｂ２の高さと一致する。
【００５７】
さらに、仕切板２２０ｃでは、接着片２２２ｃが、全面に亘って仕切板２２０ｉに接触している。接着片２２２ｃは、仕切板２２０ｉに接着剤によって接着されている。接着片２２２ｃの高さは、接着片２２２ｉの高さと一致する。
【００５８】
四角筒２４０は、仕切板２２０ｂ、２２０ｃ、２２０ｄ、２２０ｅによって画定される。仕切板２２０ｂは、四角筒２３０と四角筒２４０との境界に位置し、四角筒２３０と四角筒２４０の両者に共有されている。仕切板２２０ｂと仕切板２２０ｅは、角部２４２を画定している。言い換えると、角部２４２は、展開状態（即ち平板２１０）において、互いに隣接していない仕切板２２０ｂと仕切板２２０ｅによって画定されている。仕切板２２０ｂでは、角部２４２から仕切板２２０ｂと反対向きに仕切板２２０ｂに平行に延びる仕切板２２０ｆが配置されている。仕切板２２０ｂの接着片２２２ｂ１は、全面に亘って仕切板２２０ｆに接触している。接着片２２２ｂ１は、仕切板２２０ｆに接着剤によって接着されている。仕切板２２０ｅでは、角部２４２から仕切板２２０ｅと反対向きに仕切板２２０ｅに平行に延びる仕切板２２０ａが配置されている。仕切板２２０ｅの接着片２２２ｅは、全面に亘って仕切板２２０ａに接触している。接着片２２２ｅは、仕切板２２０ａに接着剤によって接着されている。
【００５９】
また、仕切板２２０ｆでは、接着片２２２ｆが、全面に亘って仕切板２２０ｂに接触している。接着片２２２ｆは、仕切板２２０ｂに接着剤によって接着されている。接着片２２２ｆの高さは、接着片２２２ｂ１の高さと一致する。
【００６０】
さらに、仕切板２２０ａでは、接着片２２２ａが、全面に亘って仕切板２２０ｅに接触している。接着片２２２ａは、仕切板２２０ｅに接着剤によって接着されている。接着片２２２ａの高さは、接着片２２２ｅの高さと一致する。
【００６１】
四角筒２５０は、仕切板２２０ａ、２２０ｆ、２２０ｇ、２２０ｈによって画定される。仕切板２２０ａは、四角筒２３０と四角筒２５０との境界に位置し、四角筒２３０と四角筒２５０の両者に共有されている。仕切板２２０ａと仕切板２２０ｆは、角部２５２を画定している。言い換えると、角部２５２は、展開状態（即ち平板２１０）において、互いに隣接していない仕切板２２０ａと仕切板２２０ｆによって画定されている。仕切板２２０ａでは、角部２５２から仕切板２２０ａと反対向きに仕切板２２０ａに平行に延びる仕切板２２０ｅが配置されている。仕切板２２０ａの接着片２２２ａ及び仕切板２２０ｅの接着片２２２ｅは、上述したように接着されている。
【００６２】
仕切板２２０ｆでは、角部２５２から仕切板２２０ｆと反対向きに仕切板２２０ｆに平行に延びる仕切板２２０ｂが配置されている。仕切板２２０ｆの接着片２２２ｆ及び仕切板２２０ｂの接着片２２２ｂ１は、上述したように接着されている。
【００６３】
仕切板２２０ａは、仕切板２２０ｈの中央に垂直に連結されている。仕切板２２０ａは、端片２２４が、仕切板２２０ａに対して垂直に折り曲げられた状態で、仕切板２２０ｈに接着されることによって、連結されている。
【００６４】
包装用仕切材２００では、図２０に示す折畳状態と図１２に示す使用状態とに変形可能である。折畳状態では、仕切板２２０ｅ、２２０ｉの上端に位置する把持部２６０、２６２が、仕切板２２０ｅ、２２０ｉの間に位置する仕切板２２０ｂの上端よりも突出している。このため、使用者は、把持部２６０、２６２を容易に把持することができる。使用者は、把持した把持部２６０、２６２を互いに離間するように、折畳状態の包装用仕切材２００を拡げることによって、図２０の折畳状態から図２１に示す途中の状態を経て、図１２に示す使用状態に変形される。この構成によれば、包装用仕切材２００を折畳状態と使用状態との容易に変形することができる。
【００６５】
また、包装用仕切材２００でも、第１実施例の包装用仕切材１００と同様の効果を奏することができる。
【００６６】
（第３実施例）
本実施例の包装用仕切材３００について、図２２〜図３２を参照して、第１実施例の包装用仕切材１００と異なる点を説明する。図２９に示すように、包装用仕切材３００は、１枚の平板３１０を折り曲げることによって作製される。１枚の平板３１０には、１０本の折線３１２ａ、３１２ｂ、３１２ｃ、３１２ｄ、３１２ｅ、３１２ｆ、３１２ｇ、３１２ｈ、３１２ｉ、３１２ｊ（以下ではまとめて「折線３１２」と呼ぶ）が配置されている。折線３１２は、１枚の平板３１０の長手方向に間隔を有して配置されている。折線３１２は、互いに平行に配置されている。
【００６７】
平板３１０は、１０本の折線３１２によって、１１枚の仕切板３２０ａ、３２０ｂ、３２０ｃ、３２０ｄ、３２０ｅ、３２０ｆ、３２０ｇ、３２０ｈ、３２０ｉ、３２０ｊ、３２０ｋ（以下ではまとめて「仕切板３２０」と呼ぶ）。仕切板３２０のうち、１０枚の仕切板３２０ａ、３２０ｂ、３２０ｃ、３２０ｄ、３２０ｅ、３２０ｆ、３２０ｇ、３２０ｉ、３２０ｊ、３２０ｋは、互いに略同一の幅（即ち平板３１０の長手方向に沿った長さ）を有する。仕切板３２０ｈは、他の仕切板３２０ａ等の２倍の幅を有する。
【００６８】
図２９において、左端から１枚目の仕切板３２０ａは、上下方向の両端辺が左右方向に平行な矩形状を有する。仕切板３２０ａは、その左端に、端片３２４を備える。端片３２４は、仕切板３２０ａの上下方向の全長よりも長い。仕切板３２０ａは、折線３１２ａを挟んで、仕切板３２０ｂに連結されている。仕切板３２０ａには、折線３１２ａを越えて、仕切板３２０ｂ側に突出する接着片３２２ａを備える。
【００６９】
接着片３２２ａは、折線３１２ａから仕切板３２０ｂに向かって略台形形状に切込むことによって、形成されている。接着片３２２ａは、上下方向の中央位置よりも上方に位置する。
【００７０】
仕切板３２０ｂは、左右方向において仕切板３２０ａと反対側で折線３１２ｂを挟んで仕切板３２０ｃに連結されている。上下方向における仕切板２２０ｂの長さは、左右方向の全長に亘って一定であり、仕切板３２０ａの長さよりも長く、端片３２４の長さに略等しい。
【００７１】
仕切板３２０ｂは、折線３１２ａを越えて、仕切板３２０ａ側に突出する接着片３２２ｂ１を備える。接着片３２２ｂ１は、折線３１２ａから仕切板３２０ａに向かって略台形形状に切込むことによって、形成されている。接着片３２２ｂ１は、上下方向の中央位置よりも下方に位置する。さらに、仕切板３２０ｂは、折線３１２ｂを越えて、仕切板３２０ｃ側に突出する接着片３２２ｂ２を備える。接着片３２２ｂ２は、折線３１２ｃから仕切板３２０ｃに向かって略台形形状に切込むことによって、形成されている。接着片３２２ｂ２は、上下方向の中央位置よりも下方に位置し、上下方向において接着片３２２ｂ１と同一の位置に位置する。接着片３２２ｂ１、３２２ｂ２は、接着片３２２ａと同一形状を有する。
【００７２】
仕切板３２０ｃは、左右方向において仕切板３２０ｂと反対側で折線３１２ｃを挟んで仕切板３２０ｄに連結されている。仕切板３２０ｃは、仕切板３２０ａと同一の上下方向の長さを有する。仕切板３２０ｃには、折線３１２ｂを越えて、仕切板３２０ｂ側に突出する接着片３２２ｃを備える。接着片３２２ｃは、折線３１２ｂから仕切板３２０ｂに向かって略台形形状に切込むことによって、形成されている。接着片３２２ｃは、上下方向の中央位置よりも上方に位置する。接着片３２２ｃは、接着片３２２ａと同一形状を有する。
【００７３】
仕切板３２０ｄは、左右方向において仕切板３２０ｃと反対側で折線３１２ｄを挟んで仕切板３２０ｅに連結されている。仕切板３２０ｄは、仕切板３２０ｂと同一の上下方向の長さを有する。仕切板３２０ｄは、接着片を有していない。
【００７４】
仕切板３２０ｅは、左右方向において仕切板３２０ｄと反対側で折線３１２ｅを挟んで仕切板３２０ｆに連結されている。仕切板３２０ｅは、仕切板３２０ｄと同一の上下方向の長さを有する。仕切板３２０ｄは、接着片を有していない。仕切板３２０ｄの両側の折線３１２ｃ、３１２ｄは、共に、上下方向に直線で連続している。
【００７５】
仕切板３２０ｆは、左右方向において仕切板３２０ｅと反対側で折線３１２ｆを挟んで仕切板３２０ｇに連結されている。仕切板３２０ｆは、左右方向における仕切板３２０ｆの中央位置よりも仕切板３２０ｅ側の端部は、上下方向において、仕切板３２０ｅと同一の長さを有する。左右方向における仕切板３２０ｆの中間位置では、仕切板３２０ｆの端辺が傾斜部３２６で傾斜しており、左右方向における仕切板３２０ｅの中央位置よりも仕切板３２０ｇ側に位置する部分は、Ｚ方向において仕切板３２０ｅよりも短い。
【００７６】
仕切板３２０ｆは、折線２１２ｆを越えて、仕切板３２０ｇ側に突出する接着片３２２ｆを備える。接着片３２２ｆは、接着片３２２ａと同一の形状を有する。接着片３２２ｆは、折線３１２ｆから仕切板３２０ｇに向かって略台形形状に切込むことによって、形成されている。接着片３２２ｆは、上下方向の中央位置よりも下方に位置する。
【００７７】
仕切板３２０ｇは、左右方向において仕切板３２０ｆと反対側で折線３１２ｇを挟んで仕切板３２０ｈに連結されている。仕切板３２０ｇは、仕切板３２０ｂと同一の上下方向の長さを有する。仕切板３２０ｇは、折線３１２ｆを越えて、仕切板３２０ｆ側に突出する接着片３２２ｇを備える。接着片３２２ｇは、接着片３２２ａと同一の形状を有する。接着片３２２ｇは、折線３１２ｆから仕切板３２０ｆに向かって略台形形状に切込むことによって、形成されている。接着片３２２ｇは、上下方向の中央位置よりも上方に位置する。
【００７８】
仕切板３２０ｈは、左右方向において仕切板３２０ｇと反対側で折線３１２ｈを挟んで仕切板３２０ｉに連結されている。仕切板３２０ｈは、仕切板３２０ｃと仕切板３２０ｄとが左右方向に連続して配置されている形状と同様の形状を有する。但し、仕切板３２０ｈでは、隣接する仕切板３２０ｇから突出する接着片が無い。また、仕切板３２０ｈの接着片３２２ｈは、接着片３２２ｃと異なる。接着片３２２ｈは、仕切板３２０ｈの上下方向の両端のそれぞれに配置されている。接着片３２２ｈは、折線３１２ｇの上下両端のそれぞれから、仕切板３２０ｇに向かって延びており、略四角形の平板上に構成されている。この点において、仕切板３２０ｈは、仕切板３２０ｃと仕切板３２０ｄとが左右方向に連続して配置されている形状と異なる。また、仕切板３２０ｈの左右方向の中央位置には、折線は配置されていない。
【００７９】
仕切板３２０ｉ、３２０ｊ、３２０ｋは、それぞれ、仕切板３２０ｅ、３２０ｆ、３２０ｇと同様の構成を有する。但し、仕切板３２０ｋは、仕切板３２０ｇと異なり、接着片３２２ｈによって切り取られていない。仕切板３２０ｉと仕切板３２０ｊとは、折線３１２ｉを挟んで連結されており、仕切板３２０ｊと仕切板３２０ｋとは、折線３１２ｊを挟んで連結されている。仕切板３２０ｊは、仕切板３２０ｆの接着片３２２ｆと同様の接着片３２２ｊを備える。また、仕切板３２０ｊは、傾斜部３２６と同様の傾斜部３２８を備える。仕切板３２０ｋは、仕切板３２０ｇの接着片３２２ｇと同様の接着片３２２ｋを備える。仕切板３２０ｋは、右端に、端片３２９を備える。
【００８０】
（包装用仕切材３００の作製方法）
次いで、主に図２２、図２５を参照して、平板３１０から包装用仕切材３００を作製する方法を説明する。包装用仕切材３００は、平板３１０を１０本の折線３１２のそれぞれで、直角に折り曲げることによって作製される。このため、折線３１２で折り曲げられると、平板３１０で接着片３２２が位置していた箇所が開口する。包装用仕切材３００は、２個の四角筒３３０、３４０、３５０を備える。四角筒３３０は、仕切板３２０ａ、３２０ｂ、３２０ｇ、３２０ｈによって画定される。
【００８１】
仕切板３２０ｂと仕切板３２０ｇは、角部３３２を画定している。言い換えると、角部３３２は、展開状態（即ち平板３１０）において、互いに隣接していない仕切板３２０ｂと仕切板３２０ｇによって画定されている。仕切板３２０ｂでは、角部３３２から仕切板３２０ｂと反対向きに仕切板３２０ｂに平行に延びる仕切板３２０ｆが配置されている。仕切板３２０ｂの接着片３２２ｂ２は、全面に亘って仕切板３２０ｆに接触している。接着片３２２ｂ２は、仕切板３２０ｆに接着剤によって接着されている。仕切板３２０ｇでは、角部３３２から仕切板３２０ｇと反対向きに仕切板３２０ｇに平行に延びる仕切板３２０ｃが配置されている。仕切板３２０ｇの接着片３２２ｇは、全面に亘って仕切板３２０ｃに接触している。接着片３２２ｇは、仕切板３２０ｃに接着剤によって接着されている。
【００８２】
また、仕切板３２０ｆでは、接着片３２２ｆが、全面に亘って仕切板３２０ｂに接触している。接着片３２２ｆは、仕切板３２０ｂに接着剤によって接着されている。接着片３２２ｆの高さは、接着片３２２ｂの高さと一致する。
【００８３】
さらに、仕切板３２０ｃでは、接着片３２２ｃが、全面に亘って仕切板３２０ｇに接触している。接着片３２２ｃは、仕切板３２０ｇに接着剤によって接着されている。接着片３２２ｃの高さは、接着片３２２ｇの高さと一致する。
【００８４】
仕切板３２０ａと仕切板３２０ｈとは、角部３３４を画定している。仕切板３２０ａは、展開状態（即ち図２９の状態）の左右方向における仕切板３２０ｈの中央位置において、仕切板３２０ｈに垂直に配置されている。仕切板３２０ａは、端片３２４が仕切板３２０ｈに接着されることによって、仕切板３２０ｈに連結されている。
【００８５】
四角筒３４０は、仕切板３２０ａ、３２０ｈ、３２０ｉ、３２０ｊによって画定される。仕切板３２０ａは、四角筒３３０と四角筒３４０との境界に位置し、四角筒３３０と四角筒３４０の両者に共有されている。仕切板３２０ｈでは、展開状態（即ち図２９の状態）のＸ方向に中央位置よりも仕切板３２０ｇ側の部分が四角筒３３０を画定し、仕切板３２０ｉ側の部分が四角筒３４０を画定する。
【００８６】
仕切板３２０ａと仕切板３２０ｊは、角部３４２を画定している。言い換えると、角部３４２は、展開状態（即ち平板３１０）において、互いに隣接していない仕切板３２０ａと仕切板３２０ｊによって画定されている。仕切板３２０ａでは、角部３４２から仕切板３２０ａと反対向きに仕切板３２０ａに平行に延びる仕切板３２０ｋが配置されている。仕切板３２０ｂの接着片３２２ａは、全面に亘って仕切板３２０ｋに接触している。接着片３２２ａは、仕切板３２０ｋに接着剤によって接着されている。仕切板３２０ｊでは、角部３４２から仕切板３２０ｊと反対向きに仕切板３２０ｊに平行に延びる仕切板３２０ｂが配置されている。仕切板３２０ｊの接着片３２２ｊは、全面に亘って仕切板３２０ｂに接触している。接着片３２２ｊは、仕切板３２０ｂに接着剤によって接着されている。
【００８７】
また、仕切板３２０ｋでは、接着片３２２ｋが、全面に亘って仕切板３２０ａに接触している。接着片３２２ｋは、仕切板３２０ａに接着剤によって接着されている。接着片３２２ｋの高さは、接着片３２２ａの高さと一致する。
【００８８】
さらに、仕切板３２０ｂでは、接着片３２２ｂ１が、全面に亘って仕切板３２０ｊに接触している。接着片３２２ｂ１は、仕切板３２０ｂに接着剤によって接着されている。接着片３２２ｂ１の高さは、接着片３２２ｇの高さと一致する。
【００８９】
四角筒３５０は、仕切板３２０ｃ、３２０ｄ、３２０ｅ、３２０ｆによって画定される。仕切板３２０ｃと仕切板３２０ｆは、角部３５２を画定している。言い換えると、角部３５２は、展開状態（即ち平板３１０）において、互いに隣接していない仕切板３２０ｃと仕切板３２０ｆによって画定されている。仕切板３２０ｃでは、角部３５２から仕切板３２０ｃと反対向きに仕切板３２０ｃに平行に延びる仕切板３２０ｇが配置されている。仕切板３２０ｃの接着片３２２ｃ及び仕切板３２０ｇの接着片３２２ｇは、上述したように接着されている。
【００９０】
仕切板３２０ｆでは、角部３５２から仕切板３２０ｆと反対向きに仕切板３２０ｆに平行に延びる仕切板３２０ｂが配置されている。仕切板３２０ｆの接着片３２２ｆ及び仕切板３２０ｂの接着片３２２ｂ２は、上述したように接着されている。
【００９１】
包装用仕切材３００は、複数個に連結して使用することができる。例えば、図３２に示すように、２個の包装用仕切材３００を繋げて使用することができる。この場合、一方の包装用仕切材３００の仕切板３２０ｈの接着片３２２ｈが、他方の包装用仕切材３００の仕切板３２０ｄの折線３１２ｃ側の端に接着され、一方の包装用仕切材３００の仕切板３２０ｈの中央に、他方の包装用仕切材３００の端片３２９が接着されることによって連結される。
【００９２】
包装用仕切材３００では、図３０に示す折畳状態と図３２に示す使用状態とに変形可能である。包装用仕切材３００は、折畳状態から、図３１に示す変形途中の状態を経て、使用状態に変形される。なお、図３０、図３１、図３２では、２個の包装用仕切材３００が連結されているが、１個の包装用仕切材３００でも同様に変形可能である。図３０、図３１、図３２では、紙面奥に位置する包装用仕切材３００の各要素に付される符号については、「´」を付して、紙面手前の包装用仕切材３００と区別する。また、図３０は、正面側から見た図であり、図３１は、背面側から見た図であり図３０とは上下方向が逆転している。折畳状態では、仕切板３２０ｉ、３２０ｆの上端に位置する把持部３６０、３６２、３６０´、３６２´が、上端において突出している。このため、使用者は、把持部３６０、３６２、３６０´、３６２´を容易に把持することができる。使用者は、把持部３６０´、３６２を互いに離間するように、折畳状態の包装用仕切材３００を拡げることによって、図３０の折畳状態から図３１に示す途中の状態を経て、図３２に示す使用状態に変形される。この構成によれば、包装用仕切材３００を折畳状態と使用状態との容易に変形することができる。
【００９３】
また、包装用仕切材３００でも、第１実施例の包装用仕切材１００と同様の効果を奏することができる。
【００９４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００９５】
（変形例）
（１）上記の各実施例では、接着片２２、２２、３２２は、仕切板２０、２２０、３２０に対して、接着剤によって接着されている。しかしながら、接着片２２、２２、３２２と仕切板２０、２２０、３２０との接着は、接着剤以外に、テープ等を介して接着されていてもよい。
【００９６】
（２）上記の各実施例において、四角筒３０等を画定しない仕切板（例えば仕切板２０ａ、２０ｉ、３２０ｊ）は、四角筒３０等を画定する仕切板（例えば仕切板２０ｂ、３２０ａ）と異なる幅（展開状態において、左右方向の長さ）を有していてもよい。
【００９７】
（３）第１実施例において、角部３２を画定する仕切板２０ｂは、仕切板２０ｆに対して、２個の接着片２２ｂ、２２ｆによって接着されている。しかしながら、２個の接着片２２ｂ、２２ｆのうち、いずれか１個の接着片２２ｂ、２２ｆが無くてもよい。第１実施例から第３実施例のいずれの接着片も同様である。
【００９８】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００９９】
１０        ：平板
１２        ：折線
２０        ：仕切板
２２        ：接着片
３０        ：四角筒
３２        ：角部
４０        ：四角筒
４２        ：角部
５０        ：把持部
５２        ：把持部
１００      ：包装用仕切材
２００      ：包装用仕切材
２１０      ：平板
２１２      ：折線
２２０      ：仕切板
２２２      ：接着片
２２４      ：端片
２２６      ：傾斜部
２２８      ：傾斜部
２３０      ：四角筒
２３２      ：角部
２４０      ：四角筒
２４２      ：角部
２５０      ：四角筒
２５２      ：角部
２６０      ：把持部
２６２      ：把持部
３００      ：包装用仕切材
３１０      ：平板
３１２      ：折線
３２０      ：仕切板
３２２      ：接着片
３２４      ：端片
３２６      ：傾斜部
３２８      ：傾斜部
３２９      ：端片
３３０      ：四角筒
３３２      ：角部
３３４      ：角部
３４０      ：四角筒
３４２      ：角部
３５０      ：四角筒
３５２      ：角部
３６０      ：把持部
３６２      ：把持部
【図１】
2019099229.tif 000003
【図２】
2019099229.tif 000004
【図３】
2019099229.tif 000005
【図４】
2019099229.tif 000006
【図５】
2019099229.tif 000007
【図６】
2019099229.tif 000008
【図７】
2019099229.tif 000009
【図８】
2019099229.tif 000010
【図９】
2019099229.tif 000011
【図１０】
2019099229.tif 000012
【図１１】
2019099229.tif 000013
【図１２】
2019099229.tif 000014
【図１３】
2019099229.tif 000015
【図１４】
2019099229.tif 000016
【図１５】
2019099229.tif 000017
【図１６】
2019099229.tif 000018
【図１７】
2019099229.tif 000019
【図１８】
2019099229.tif 000020
【図１９】
2019099229.tif 000021
【図２０】
2019099229.tif 000022
【図２１】
2019099229.tif 000023
【図２２】
2019099229.tif 000024
【図２３】
2019099229.tif 000025
【図２４】
2019099229.tif 000026
【図２５】
2019099229.tif 000027
【図２６】
2019099229.tif 000028
【図２７】
2019099229.tif 000029
【図２８】
2019099229.tif 000030
【図２９】
2019099229.tif 000031
【図３０】
2019099229.tif 000032
【図３１】
2019099229.tif 000033
【図３２】
2019099229.tif 000034